(57)【要約】【課題】介護等をおこなう際に、被介護者に介護情報を違和感なく認識してもらうとともに、介護情報に対する被介護者の対応の有無を確認できる介護用補助装置を提供する。【解決手段】液晶表示装置３０とタッチスクリーン４０により被介護者に対する１又は２以上の指示情報を入力し、メモリ２０の指示情報格納部２２に格納する。マイク５０から指示情報を肉声で入力し、メモリ２０の音声格納部に指示情報に関連付けて格納する。液晶表示装置３０とタッチスクリーン４０により入力した時刻に、スピーカ６０を介して肉声で指示情報を被介護者に報知する。また、指示情報を報知してから被介護者が応答操作をするまでの応答時間を液晶表示装置３０で表示する。【選択図】図１
2019087122.tif 000002
【特許請求の範囲】
【請求項１】
音声出力により被介護者に対する指示情報を出力する介護用補助装置であって、
被介護者に対する１又は２以上の指示情報を入力するための指示情報入力部と、
前記指示情報入力部により入力した指示情報を格納するための指示情報格納部と、
前記指示情報を肉声で入力する音声入力部と、
前記音声入力部で入力した肉声を前記指示情報格納部に格納された前記指示情報と関連付けて格納するための音声格納部と、
前記音声格納部に格納した前記肉声を出力する音声出力部と、
前記音声格納部に格納した前記肉声を、前記音声出力部を介して出力する時刻を設定するための出力時刻設定部と、
前記出力時刻設定部により設定した時刻に前記音声格納部に格納した前記肉声を、前記音声出力部を介して出力する制御部と、
前記制御部による前記肉声の出力後に被介護者が前記肉声に対する応答を入力するための応答入力部と、
前記制御部による前記肉声の出力終了から、被介護者が前記肉声に対する応答を、前記応答入力部を介して入力した応答時間を格納する応答時間格納部と、
前記応答時間格納部に格納された前記応答時間を出力する応答時間出力部と、
を備えたことを特徴とする介護用補助装置。
【請求項２】
請求項１に記載の介護用補助装置において、
前記応答時間格納部は、
前記指示情報格納部に格納された前記指示情報が２以上ある場合には、それぞれの指示情報に対する応答時間を格納することを特徴とする介護用補助装置。
【請求項３】
請求項１又は請求項２に記載の介護用補助装置において、
前記応答時間出力部は、
通信回線を介して前記応答時間を出力することを特徴とする介護用補助装置。
【発明の詳細な説明】
【技術分野】
【０００１】
本発明は、介護等に対し適切な指示情報を与えるための介護用補助装置に関する。
【背景技術】
【０００２】
従来、使用者の安否を問い合わせるために、使用者の安否確認を示す用語と、安否確認用の情報を出力する時刻を指定する時刻情報と、を含む本文を含む電子メールを受信した際に、受信した電子メールに添付した音源ファイルの音情報を、安否確認用の音声情報として、電子メールにて指定されている時刻情報に紐付けして予め設定登録することにより、予め設定登録されている時刻情報が示す時刻に達する都度、予め設定登録されている安否確認用の音声情報を自動的に出力し、電話端末の使用者の安否を問い合わせるようにした電話端末がある（例えば、特許文献１参照）。
【先行技術文献】
【特許文献】
【０００３】
【特許文献１】特開２０１２−０８０３１５号公報
【発明の概要】
【発明が解決しようとする課題】
【０００４】
ところが、上記従来の技術では、予め設定登録された時刻に達する都度、電話端末により安否確認を問い合わせることはできるが、安否確認の対象となる相手方が安否確認にどのような対応をしたかを確認できるようにはなっていないという問題がある。
【０００５】
また、安否確認の問い合わせの際に、電子メールに添付した音源ファイルの音情報を用いているが、介護などを行う場合、この音情報が合成音などである場合には、被介護者が違和感を覚え、安否確認などに対して適切な対応を行わないことがあるという問題もある。
【０００６】
本発明は、こうした問題に鑑みなされたもので、介護等をおこなう際に、被介護者に介護情報を違和感なく認識してもらうとともに、介護情報に対する被介護者の対応の有無を確認できる介護用補助装置を提供することを目的とする。
【課題を解決するための手段】
【０００７】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００８】
［適用例１］
本発明に係る介護用補助装置（１）は、
音声出力により被介護者に対する指示情報を出力する介護用補助装置（１）であって、
被介護者に対する１又は２以上の指示情報を入力するための指示情報入力部（３０，４０）と、
前記指示情報入力部（３０，４０）により入力した指示情報を格納するための指示情報格納部（２０，２２）と、
前記指示情報を肉声で入力する音声入力部（５０）と、
前記音声入力部（５０）で入力した肉声を前記指示情報格納部（２０，２２）に格納された前記指示情報と関連付けて格納するための音声格納部（２０，２４）と、
前記音声格納部（２０，２４）に格納した前記肉声を出力する音声出力部（６０）と、
前記音声格納部（２０，２４）に格納した前記肉声を、前記音声出力部（６０）を介して出力する時刻を設定するための出力時刻設定部（３０，４０）と、
前記出力時刻設定部（３０，４０）により設定した時刻に前記音声格納部（２０，２４）に格納した前記肉声を、前記音声出力部（６０）を介して出力する制御部（１０）と、
前記制御部（１０）による前記肉声の出力後に被介護者が前記肉声に対する応答を入力するための応答入力部（３０，４０）と、
前記制御部（１０）による前記肉声の出力終了から、被介護者が前記肉声に対する応答を、前記応答入力部（３０，４０）を介して入力した応答時間を格納する応答時間格納部（２０，２６）と、
前記応答時間格納部（２０，２６）に格納された前記応答時間を出力する応答時間出力部（３０）と、
を備えたことを要旨とする。
【０００９】
このような介護用補助装置（１）によれば、指示情報入力部（３０，４０）により、被介護者に対する指示情報を入力し、入力した指示情報を指示情報格納部（２０，２２）に格納しておくことができる。
また、指示情報を、音声入力部（５０）を介して肉声で入力し、入力した肉声を音声格納部（２０，２４）に格納し、さらに、音声格納部（２０，２４）に格納した肉声を、音声出力部（６０）を介して出力する時刻を設定して、その時刻に音声出力する。
【００１０】
このような構成により、被介護者に対する指示、例えば、「薬を飲んでください」などの音声出力を合成音声ではなく、例えば、近親者などが入力した肉声により行うことができるため、被介護者にとって違和感がなく、指示に従いやすくなるという効果を得ることができる。
【００１１】
さらに、肉声の出力終了、つまり、被介護者に対する指示の終了から被介護者が肉声に対する応答を入力するまでの時間が応答時間格納部（２０，２６）に格納されるとともに、応答時間が出力される。
【００１２】
したがって、被介護者等が指示を受けてからその指示に応答するまでの時間を介護者等が確認することができるため、介護者は被介護者の安否などの様子を把握することができる。
【００１３】
［適用例２］
適用例１に記載の介護用補助装置（１）において、前記応答時間格納部（２０，２６）は、前記指示情報格納部（２０，２２）に格納された前記指示情報が２以上ある場合には、それぞれの指示情報に対する応答時間を格納することを要旨とする。
【００１４】
このような介護用補助装置（１）では、２以上の指示情報が指示情報格納部（２０，２２）に格納されている場合、各指示情報に対する応答時間が応答時間格納部（２０，２６）に格納されて出力される。したがって、介護者は、被介護者の安否等の様子を、よりきめ細かく把握することができる。
【００１５】
［適用例３］
適用例１又は適用例２に記載の介護用補助装置（１）において、前記応答時間出力部（３０）は、通信回線（９０）を介して前記応答時間を出力することを要旨とする。
【００１６】
このような介護用補助装置（１）では、応答時間が通信回線（９０）を介して出力されるため、介護者は、携帯電話やパソコンなどの端末装置を用いて遠隔地から被介護者の安否などの様子を把握することができる。
【図面の簡単な説明】
【００１７】
【図１】介護用補助装置１の概略の構成を示すブロック図である。
【図２】制御部１０におけるメイン処理の流れを示すフローチャートである。
【図３】指示情報入力処理の流れを示すフローチャートである。
【図４】音声入力処理の流れを示すフローチャートである。
【図５】応答時間処理の流れを示すフローチャートである。
【図６】指示情報入力処理における液晶表示装置での表示内容の例を示す図である。
【図７】音声入力処理における液晶表示装置での表示内容の例を示す図である。
【図８】第２実施形態における介護用補助装置の概略の構成を示すブロック図である。
【発明を実施するための形態】
【００１８】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１９】
［第１実施形態］
（介護用補助装置の構成））
図１は、本発明が適用された介護用補助装置１の概略の構成を示すブロック図である。
【００２０】
図１に示すように、介護用補助装置１は、制御部１０、メモリ２０、液晶表示装置３０、タッチスクリーン４０、マイク５０及びスピーカ６０を備えている。
制御部１０は、図示しないＣＰＵ、ＲＯＭ、ＲＡＭ、タイマ及びＩ／Ｏを備えており、後述する処理を実行する。
【００２１】
メモリ２０は、タッチスクリーン４０、マイク５０から入力された情報を格納しておく機器であり、メモリ２０の内部構成としては、タッチスクリーン４０から入力される指示情報を格納する指示情報格納部２２、マイク５０から入力される音声をディジタルデータとして格納する音声格納部２４及びタッチスクリーン４０から入力された、被介護者の操作情報に基づいて得られる応答時間を格納する応答時間格納部２６を備えている。
【００２２】
また、メモリ２０は、本実施形態では、バッテリでバックアップされたＲＡＭであるが、それ以外にＵＳＢメモリなどの半導体メモリやハードディスクドライブなどであってもよい。
【００２３】
液晶表示装置３０は、被介護者に対する１又は２以上の指示情報を入力する際の操作用の表示をための液晶ディスプレイである。
タッチスクリーン４０は、液晶表示装置３０の画面表面に装着された入力装置であり、介護者や被介護者などが、液晶表示装置３０の表示された操作表示に従って、指などの入力部を接触又は近接させることにより種々の入力が可能となっている。
【００２４】
マイク５０は、指示情報を肉声で入力するための入力装置であり、スピーカ６０は、音声格納部２４に格納したディジタルデータを肉声として出力するための音声出力装置である。
【００２５】
（制御部における処理の説明）
次に、図２〜図５に基づき、制御部１０における処理の内容について説明する。図２は、制御部１０におけるメイン処理の流れを示すフローチャートであり、図３は、指示情報入力処理の流れを示すフローチャートであり、図４は、音声入力処理の流れを示すフローチャートであり、図５は、応答時間処理の流れを示すフローチャートである。
【００２６】
（メイン処理の説明）
図２に基づき、メイン処理の内容について説明する。
【００２７】
メイン処理は、割り込み処理であり、タイマからの１０［ｍＳ］毎割り込み信号により実行される。
図２に示すように、メイン処理では、ＣＰＵは、Ｓ２００において、指示情報入力処理を行い、続くＳ２０５において音声入力処理を実行し、続くＳ２１０において応答時間処理を実行する。
【００２８】
（指示情報入力処理の説明）
次に、図３に基づき指示情報入力処理の内容について説明する。
【００２９】
図３に示すように、指示情報入力処理では、ＣＰＵは、先ずＳ３００において、液晶表示装置３０に指示情報選択用の画面表示を表示させる。
指示情報選択用の画像表示としては、図６（ａ）に示すように、「薬」、「可燃ごみ」、「不燃ごみ」、「資源ごみ」、「デイサービス」などのように、被介護者が行うべき作業で、被介護者に対してその作業を行うように指示をするものを分類したものである。
【００３０】
続くＳ３０５では、タッチスクリーン４０から選択情報を取得し、取得した選択情報により選択された指示情報をメモリ２０の指示情報格納部２２に格納する。
具体的には、タッチスクリーン４０が押下された場合にタッチスクリーン４０上の座標を取得し、取得した座標とＳ３００におけるそれぞれの内容の表示の位置とを比較し、どの指示情報が選択されたかを取得する。そして選択された指示情報を指示情報格納部２２に格納する。
【００３１】
続くＳ３１０では、Ｓ３０５において取得した選択情報から、入力が完了したか否かを判定する。つまり、選択情報として「次へ」が取得されたか「戻る」が取得されたかを判定する。そして、入力が完了したと判定した場合（Ｓ３１０：Ｙｅｓ（「次へ」が選択））、処理をＳ３１５へ移行し、入力が完了していないと判定した場合（Ｓ３１０：Ｎｏ（「戻る」が選択））、処理をＳ３０５へ戻し、指示情報の選択処理を繰り返す。この繰り返し処理により、１又は２以上の指示情報が指示格納部２２に格納される。
【００３２】
Ｓ３１５では、Ｓ３０５において選択・格納された各指示情報とその再生日を設定するための表示（再生日設定用表示）を液晶表示装置３０に表示させる。
具体的には、図６（ｂ）に示すように、例えば、指示情報として「デイサービス」の場合、「毎日」、「毎週」、「指定日」のいずれかを選択できるようになっており、「指定日」を選択した場合には、「月」、「日」、「年」を設定できるようになっている。
【００３３】
続くＳ３２０では、タッチスクリーン４０から設定情報を取得し、取得した設定情報により設定された再生日情報を、指定情報と関連付けてメモリ２０の指示情報格納部２２に格納する。
具体的には、タッチスクリーン４０が押下された場合にタッチスクリーン４０上の座標を取得し、取得した座標とＳ３１５におけるそれぞれの内容の表示の位置とを比較し、どの設定情報が選択されたかを取得する。そして、設定された再生日情報を指示情報と関連付けて指示情報格納部２２に格納する。
【００３４】
続くＳ３２５では、Ｓ３２０において取得した設定情報から、入力が完了したか否かを判定する。つまり、設定情報として「次へ」が取得されたか「戻る」が取得されたかを判定する。そして、入力が完了したと判定した場合（Ｓ３２５：Ｙｅｓ（「次へ」が取得））、処理をＳ３３０へ移行し、入力が完了していないと判定した場合（Ｓ３２５：ＮＯ（「戻る」が取得））、処理をＳ３１５へ戻し、指示情報格納部２２に格納されている次の指示情報に対する再生日の設定を繰り返す。
【００３５】
Ｓ３３０では、Ｓ３２０において設定・格納された各再生日における再生時刻を設定するための表示（再生時刻設定用表示）を液晶表示装置３０に表示させる。
具体的には、図６（ｃ）に示すように、例えば、指示情報が「デイサービス」、再生日が「２０１７年５月１４日」の場合、「時」、「分」を設定できるようになっている。
【００３６】
続くＳ３３５では、タッチスクリーン４０から設定情報を取得し、取得した設定情報により設定された再生時刻を、再生日情報と関連付けてメモリ２０の指示情報格納部２２に格納する。
【００３７】
具体的には、タッチスクリーン４０が押下された場合にタッチスクリーン４０上の座標を取得し、取得した座標とＳ３３０におけるそれぞれの内容の表示の位置とを比較し、どの設定情報が選択されたかを取得する。そして、設定された再生時刻情報を再生日情報と関連付けて指示情報格納部２２に格納する。
【００３８】
続くＳ３４０では、Ｓ３３５において取得した設定情報から、入力が完了したか否かを判定する。つまり、設定情報として「完了」が取得されたか否かを判定する。そして、入力が完了したと判定した場合（Ｓ３４０：Ｙｅｓ（「完了」が選択））、処理を終了し、入力が完了していないと判定した場合（Ｓ３４０：Ｎｏ（「戻る」が選択））、処理をＳ３３０へ戻し、指示情報格納部２２に格納されている次の再生日情報に対する再生時刻の設定を繰り返す。
【００３９】
（音声入力処理の説明）
次に、図４に基づき音声入力処理の内容について説明する。
【００４０】
図４に示すように、音声入力処理では、ＣＰＵは、先ずＳ４００において液晶表示装置３０に音声入力用の画面表示を表示させる。つまり、Ｓ２００の指示情報入力処理において指示情報入力部２２に格納された指示情報を参照し、格納されている指示情報に対応した画面表示を行う。
【００４１】
音声入力用の画像表示としては、図７（ａ）に示すように、指示情報格納部２２に格納されている指示情報のすべてを「設定された指示情報」として表示し、介護者などが指示の内容を肉声で録音する指示情報を選択させる内容の表示とする。
【００４２】
続くＳ４０５では、タッチスクリーン４０から選択情報を取得する。具体的には、タッチスクリーン４０が押下された場合にタッチスクリーン４０上の座標を取得し、取得した座標とＳ４００におけるそれぞれの内容の表示の位置とを比較し、どの指示情報が選択されたかを取得する。
【００４３】
続くＳ４１０では、Ｓ４０５においてタッチスクリーン４０から選択の終了の選択入力があったか否かを判定する。そして、終了の入力があったと判定した場合（Ｓ４１０：Ｙｅｓ）、処理をＳ４１５へ移行し、終了の入力がなかったと判定した場合（Ｓ４１０：Ｎｏ）、処理をＳ４０５へ戻し、指示情報の選択処理を繰り返す。
【００４４】
Ｓ４１５では、Ｓ４０５において選択された指示情報に対する肉声の録音を行うための表示（録音用表示）を液晶表示装置３０に表示させる。
具体的には、図７（ｂ）に示すように、例えば、指示情報として「表示メッセージ：デイサービス」の場合、「録音時間」を表示し、「録音」、「再生」のいずれかを選択できるようになっている。
【００４５】
続くＳ４２０では、タッチスクリーン４０から設定情報を取得する。具体的には、タッチスクリーン４０が押下された場合にタッチスクリーン４０上の座標を取得し、取得した座標とＳ４１５におけるそれぞれの内容の表示の位置とを比較し、「録音」と「再生」のいずれが選択されたかを取得する。
【００４６】
続くＳ４２５では、Ｓ４２０において取得した選択情報から、選択入力があるか否かを判定する。そして、選択入力があると判定した場合（Ｓ４２５：Ｙｅｓ）、処理をＳ４３０へ移行し、入力がないと判定した場合（Ｓ４２５：Ｎｏ）、処理をＳ４１５へ戻し、録音用設定を繰り返す。
【００４７】
Ｓ４３０では、Ｓ４２０において選択された選択情報が「録音」であるか否かを判定する。そして、選択情報が「録音」である場合（Ｓ４３０：Ｙｅｓ）、処理をＳ４３５へ移行し、選択情報が「録音」でない場合（Ｓ４３０：Ｎｏ）、処理をＳ４１５へ戻し、録音用選択を繰り返す。
【００４８】
Ｓ４３５では、録音を実行する。具体的には、マイク５０から介護者などが入力する肉声を音声データとして取得する。
Ｓ４４０では、Ｓ４２０において選択された選択情報が「再生」であるか否かを判定する。そして、選択情報が「再生」である場合（Ｓ４４０：Ｙｅｓ）、処理をＳ４４５へ移行し、選択情報が「再生」でない場合（Ｓ４４０：Ｎｏ）、処理をＳ４５０へ移行する。
【００４９】
Ｓ４４５では、再生を実行する。具体的には、Ｓ４３５で取得した音声データをスピーカ６０から出力させる。この音声の再生は、Ｓ４３５で録音した音声データ（肉声）の録音状態を確認するための処理である。
【００５０】
Ｓ４５０では、Ｓ４２０において選択された選択情報が入力の完了であるか否かを判定する。つまり、選択情報として「次へ」が選択されたか否かを判定する。そして、入力が完了したと判定した場合（Ｓ４５０：Ｙｅｓ）、処理をＳ４５５へ移行し、入力が完了していないと判定した場合（Ｓ４５０：Ｎｏ）、処理をＳ４０５へ戻し、録音処理を繰り返す。
【００５１】
このように、録音処理を繰り返すことにより、指示情報格納部２２に格納されている複数の指示情報の分類に対して介護者などの肉声を録音することができる。
Ｓ４５５では、Ｓ４３５で取得した音声データをメモリ２０の音声格納部２２に格納し、音声入力処理を終了する。
【００５２】
（応答時間処理）
次に、図５に基づき応答時間処理の内容について説明する。図５に示すように、応答時間処理では、ＣＰＵは、先ずＳ５００において、タイマから現在日時を取得する。
【００５３】
続くＳ５０５では、Ｓ５００において取得した現在日時がＳ３３５（図３参照）において設定した再生日時であるか否かを判定する。そして、現在日時が再生日時であると判定した場合（Ｓ５０５：Ｙｅｓ）、処理を５１０へ移行し、現在時刻が再生日時でないと判定した場合（Ｓ５０５：Ｎｏ）、処理をＳ５００へ戻す。
【００５４】
Ｓ５１０では、当該再生日時に再生すべき指示情報をメモリ２０の指示情報格納部２２から取得して液晶表示装置３０に表示するとともに、その指示情報に対応する音声データをメモリ２０の音声格納部２４から取得して再生する。
【００５５】
続く５１５では、Ｓ５１０において再生された指示情報に対する応答（指示情報を了解したか否かを入力する）を促す表示、例えば、「了解しましたか？」を液晶表示装置３０に行うとともに、その表示に応じたタッチスクリーン４０上の座標が押下されたか否かを取得する。
【００５６】
続くＳ５２０では、Ｓ５１５において応答入力があったか否かを判定する。そして、応答入力があった場合（Ｓ５２０：Ｙｅｓ）、処理をＳ５３５へ移行し、応答入力がなかった場合（Ｓ５２０：Ｎｏ）、処理をＳ５２５へ移行する。
【００５７】
Ｓ５２５では、Ｓ５１０の再生指示から３分経過したか否かを判定する。そして、３分経過したと判定した場合（Ｓ５２５：Ｙｅｓ）、処理をＳ５３０へ移行し、３分経過していないと判定した場合（Ｓ５２５：Ｎｏ）、処理をＳ５１５へ戻し、応答を待つ。
【００５８】
Ｓ５３０では、指示の再生が３回目か否かを判定する。そして、指示の再生が３回目であると判定した場合（Ｓ５３０：Ｙｅｓ）処理をＳ５３５へ移行し、指示の再生が３回目でないと判定した場合（Ｓ５３０：Ｎｏ）、処理をＳ５１０へ戻し、指示の再生を繰り返す。
【００５９】
Ｓ５３５では、タイマから現在日時を取得し、続くＳ５４０では、Ｓ５００において取得した現在日時（Ｔ１）とＳ５３５において取得した現在日時（Ｔ２）とから、応答時間（ＴＲ）を算出する。応答時間（ＴＲ）は、ＴＲ＝Ｔ２−Ｔ１で算出できる。そして、算出した応答時間（ＴＲ）を指示情報とともに、メモリ２０の応答時間格納部２６へ格納する。
【００６０】
続くＳ５４５では、Ｓ５４０で算出した応答時間（ＴＲ）を液晶表示装置３０へ表示する。
続くＳ５５０では、応答時間処理の終了を促す表示、例えば、「応答時間処理を終了しますか？」を液晶表示装置３０に行うとともに、その表示に応じたタッチスクリーン４０上の座標が押下されたか否かを取得する。
【００６１】
続くＳ５５５では、Ｓ５５０において処理終了入力があったか否かを判定する。そして、処理終了入力があった場合（Ｓ５５５：Ｙｅｓ）、処理を終了し、処理終了入力がなかった場合（Ｓ５５５：Ｎｏ）、処理をＳ５５０へ戻し、処理終了入力を待つ。
【００６２】
（介護用補助装置の特徴）
以上のような介護用補助装置１によれば、介護者が液晶表示装置３０及びタッチスクリーン４０を操作することにより、被介護者に対する指示、例えば、「薬を飲んでください」などの音声出力を合成音声ではなく、例えば、近親者などが入力した肉声により行うことができるため、被介護者にとって、より指示に従いやすくなるという効果を得ることができる。
【００６３】
さらに、被介護者に対する肉声による指示の終了から被介護者が肉声に対する応答を入力するまでの時間（応答時間ＴＲ）を介護者等が確認することができるため、介護者は被介護者の安否などの様子を把握することができる。
【００６４】
また、２以上の指示情報がある場合、各指示情報に対する応答時間がメモリ２０の応答時間格納部２６に格納されて出力される。したがって、介護者は、被介護者の安否等の様子を、よりきめ細かく把握することができる。
【００６５】
［第２実施形態］
次に、図８に基づき第２実施形態における介護用補助装置２について説明する。第２実施形態における介護用補助装置２の概略の構成を示すブロック図である。なお、第２実施形態における介護用補助装置２は、第１実施形態における介護用補助装置１と類似の構成であるため、同じ構成要素には同じ符号を付して、その説明を省略する。
【００６６】
介護用補助装置２は、図８に示すように、第１実施形態の介護用補助装置１に対し、送信部７０を備えており、被介護者の端末装置８０に通信回線９０を介して応答時間をデータとして出力する。
【００６７】
送信部７０は、インターネットや電話回線などの通信回線９０を介して、端末装置８０に対して、データを送信する送信機である。
端末装置８０は、パソコンや携帯電話、スマートフォンなど介護者が応答時間をデータとして受信する受信機能を備え、受信した応答時間データを、表示や音声による報知が可能な機器である。
【００６８】
通信回線９０は、インターネットや電話回線など、インフラストラクチャーとして整備された有線又は無線による通信回線である。
このような介護用補助装置２では、応答時間が通信回線９０を介して介護者の端末装置８０に出力されるため、介護者は、遠隔地から被介護者の安否などの様子を把握することができる。
【００６９】
［その他の実施形態］
以上、本発明の実施形態について説明したが、本発明は、本実施形態に限定されるものではなく、種々の態様を採ることができる。
【００７０】
（１）上記実施形態では、指示情報を報知する対象を被介護者とし、指示情報などの設定や肉声の録音を介護者が行うこととして説明したが、被介護者としては老人以外にも身体に障害のある者などであってもよい。また、介護者としては、家族、親戚あるいは介護施設、病院などの従業者などであってもよい。
【００７１】
（２）上記実施形態では、被介護者に対する肉声での指示に対する応答時間を算出して応答時間格納部２６に格納するとともに報知（表示や外部出力など）をしていたが、肉声で指示した時刻（再生時刻）とその指示に対して被介護者が応答した時刻とをそのまま応答時間格納部２６に格納するとともに、報知（表示や外部出力など）をするようにしてもよい。
【００７２】
（３）上記第２実施形態では、送信部７０によりインターネットなどの通信回線９０を介して端末装置８０に応答時間データを送信していたが、端末装置８０から通信回線９０を介して送信されるデータを受信する受信部を設けてもよい。
【００７３】
そして、第１実施形態において端末装置８０で設定した指示情報や設定情報などを端末装置８０の送信機能を利用して、通信回線９０を介して送信し、送信された指示情報や設定情報などを受信部で受信することにより、遠隔地から指示情報や各種の設定を行うことができるようにしてもよい。
【００７４】
（４）上記実施形態では、指示情報処理と音声入力処理とが別のサブルーチンで構成していたが（図２参照）、音声入力処理を指示情報処理の中に組み込むようにしてもよい。
【符号の説明】
【００７５】
１，２… 介護用補助装置  １０… 制御部  ２０… メモリ  ２２… 指示情報格納部  ２４… 音声格納部  ２６… 応答時間格納部  ３０… 液晶表示装置  ４０… タッチスクリーン  ５０… マイク  ６０… スピーカ  ７０… 送信部  ８０… 端末装置  ９０… 通信回線。
【図１】
2019087122.tif 000003
【図２】
2019087122.tif 000004
【図３】
2019087122.tif 000005
【図４】
2019087122.tif 000006
【図５】
2019087122.tif 000007
【図６】
2019087122.tif 000008
【図７】
2019087122.tif 000009
【図８】
2019087122.tif 000010